(57)【要約】  【課題】  開口部を閉塞した扉体が洗浄中に上方へ回動した場合に、洗浄槽の外部へ水が噴射されることを防ぐ。  【解決手段】  食器Ａを出し入れするための開口部を前面側に有する洗浄槽１０に対して上下回動可能に支持されており、開口部を閉塞する扉体２に対して、回動自在に枢支されていて、開口部の下部を遮蔽する遮蔽板３を備え、洗浄槽１０の上方に遮蔽板３の下端が位置するように遮蔽板３の姿勢を規制するために、遮蔽板３の自由端に連結腕４を回動自在に設け、連結腕４の他端を洗浄槽１０の側面壁１０ｅに設けられた上下方向の案内溝１２に移動可能に係合する。【選択図】        図４
2006263106.tif 000002
【特許請求の範囲】
【請求項１】
食器を出し入れするための開口部を前面側に有する洗浄槽と、該洗浄槽に対して上下回動可能に支持されていて、前記開口部を閉塞する扉体とを備え、前記洗浄槽内に給水された水を噴射するようにしてある食器洗浄機において、
横方向の枢軸で前記扉体に回動自在に枢支しており、前記開口部を遮蔽する遮蔽板を備える
ことを特徴とする食器洗浄機。
【請求項２】
前記洗浄槽の側部に設けられた上下方向の案内溝と、
一端が前記遮蔽板の側部に回動自在に連結し、他端が前記案内溝に沿って移動可能に係合している連結腕と
を備え、
前記連結腕は、
前記洗浄槽の上方に前記遮蔽板が位置するような長さを有する
ことを特徴とする請求項１に記載の食器洗浄機。
【請求項３】
前記連結腕は、
前記一端側から前記他端側にかけて下方に傾斜している
ことを特徴とする請求項２に記載の食器洗浄機。
【請求項４】
前記案内溝と前記洗浄槽とは一体成形されている
ことを特徴とする請求項２又は請求項３に記載の食器洗浄機。
【請求項５】
前記扉体は、前記遮蔽板を収める凹部を備える
ことを特徴とする請求項１乃至請求項４のいずれか一つに記載の食器洗浄機。
【請求項６】
前記凹部は、
前記扉体が前記開口部を閉塞した状態で、前記凹部と前記遮蔽板とが前後方向に所定長以上離隔するように形成されている
ことを特徴とする請求項５に記載の食器洗浄機。
【請求項７】
前記扉体は、
前記遮蔽板を枢支している部分より上側に、横長の条体を備える
ことを特徴とする請求項１乃至請求項６のいずれか一つに記載の食器洗浄機。
【請求項８】
前記遮蔽板を枢支している前記扉体の部分を前記洗浄槽から遮蔽する遮蔽体を備える
ことを特徴とする請求項１乃至請求項６のいずれか一つに記載の食器洗浄機。
【請求項９】
前記遮蔽板は、
該遮蔽板に付着した水滴を横方向両側へ誘導する誘導部を備える
ことを特徴とする請求項２乃至請求項８のいずれか一つに記載の食器洗浄機。
【請求項１０】
前記遮蔽板の誘導部は、
前記扉体が前記開口部を閉塞した状態で、前記遮蔽板の横方向両側夫々へ向けて下方に傾斜した山形のリブである
ことを特徴とする請求項９に記載の食器洗浄機。
【請求項１１】
前記扉体は、
該扉体に付着した水滴を横方向両側から横方向中央側へ誘導する誘導部を、前記遮蔽板を枢支している部分より上側に備える
ことを特徴とする請求項１乃至請求項１０のいずれか一つに記載の食器洗浄機。 
【請求項１２】
前記扉体の誘導部は、
前記扉体が前記開口部を閉塞した状態で、前記扉体の横方向両側から横方向中央側へ向けて下方に傾斜したリブである
ことを特徴とする請求項１１に記載の食器洗浄機。
【発明の詳細な説明】
【技術分野】
【０００１】
本発明は、食器洗浄機に関し、特に開口部から洗浄槽の外部へ水が噴射されることを防ぐように構成してある食器洗浄機に関する。
【背景技術】
【０００２】
従来の食器洗浄機は、食器を出し入れするための洗浄槽の開口部を、扉体により閉塞した状態で、洗浄ノズルから洗浄槽内の食器に対して水を噴射することにより食器を洗浄する。また、食器の洗浄中に扉体が開いた場合、洗浄槽の外部へ水が噴射しないように、水の噴射を停止するように構成してある。
【特許文献１】特開２０００−１５０９５８号公報
【発明の開示】
【発明が解決しようとする課題】
【０００３】
しかしながら、従来の食器洗浄機においては、扉体が開いた後、水の噴射を停止するため、洗浄ノズルから噴射している水が洗浄槽の外部へ飛散することがあった。
【０００４】
本発明は斯かる事情に鑑みてなされたものであり、横方向の枢軸で扉体に回動自在に枢支されていて、開口部を遮蔽する遮蔽板を備えることにより、開口部を閉塞した扉体が洗浄中に回動した場合、噴射された水を遮蔽板で遮り、洗浄槽の外部へ水が噴射されることを防ぐことができる食器洗浄機を提供することを目的とする。
【０００５】
また、遮蔽板の側部に一端が回動自在に連結し、他端が洗浄槽の側部に設けられた上下方向の案内溝に沿って移動する連結腕を備え、回動する扉体に追随する遮蔽板が洗浄槽の上方に位置するように遮蔽板の姿勢を規制する構成とすることにより、遮蔽板から垂れ落ちた水滴を洗浄槽で受けることができる食器洗浄機を提供することを他の目的とする。
【０００６】
更に、連結腕が一端側から他端側にかけて下方に傾斜するように構成することにより、遮蔽板に付着した水滴を連結腕の他端側から洗浄槽に戻し、洗浄槽の外部への水滴の滴りを軽減することができる食器洗浄機を提供することを他の目的とする。
【０００７】
更にまた、遮蔽板の姿勢を規制するための案内溝と洗浄槽とを一体成形することにより、案内溝を別体で備える食器洗浄機に比べて、部品点数が少なく、低コストで製造することができる食器洗浄機を提供することを他の目的とする。
【０００８】
更にまた、遮蔽板を収める凹部を扉体に備えることにより、遮蔽板を備えない食器洗浄機と同等の食器収容量を確保することができる食器洗浄機を提供することを他の目的とする。
【０００９】
更にまた、扉体が開口部を閉塞した状態で、扉体の凹部と遮蔽板とが前後方向に所定長以上離隔するように凹部を形成することにより、水の表面張力によって凹部と遮蔽板との間に水が保持されることを防ぎ、扉体が回動した場合に、保持されていた水が洗浄槽の外部に滴ることを防ぐことができる食器洗浄機を提供することを他の目的とする。
【００１０】
更にまた、遮蔽板を枢支している扉体の部分より上側に、横長の条体を備えることにより、食器から洗い落とされた残滓が、扉体の前記部分に付着することを防ぐことができる食器洗浄機を提供することを他の目的とする。
【００１１】
更にまた、遮蔽板を枢支している扉体の部分を洗浄槽から遮蔽する遮蔽体を備えることにより、食器から洗い落とされた残滓が、扉体の前記部分に付着することを防ぐことができる食器洗浄機を提供することを他の目的とする。
【００１２】
更にまた、遮蔽板に付着した水滴を遮蔽板の横方向両側へ誘導するように構成することにより、遮蔽板に付着した水滴を遮蔽板の両側に誘導し、誘導した水滴を洗浄槽が有する開口部の両側から洗浄槽に落とすことができる食器洗浄機を提供することを他の目的とする。
【００１３】
更にまた、扉体に付着した水滴を横方向両側から横方向中央側へ誘導する誘導部を、遮蔽板を枢支している部分より上側に備えることにより、扉体の両側に付着した水滴が、遮蔽板の両側に回り込むことを防ぎ、扉体及び遮蔽板からの水滴の滴りを軽減することができる食器洗浄機を提供することを他の目的とする。
【課題を解決するための手段】
【００１４】
本発明に係る食器洗浄機は、食器を出し入れするための開口部を前面側に有する洗浄槽と、該洗浄槽に対して上下回動可能に支持されていて、前記開口部を閉塞する扉体とを備え、前記洗浄槽内に給水された水を噴射するようにしてある食器洗浄機において、横方向の枢軸で前記扉体に回動自在に枢支しており、前記開口部を遮蔽する遮蔽板を備えることを特徴とする。
【００１５】
本発明にあっては、開口部が扉体で閉塞されている状態で洗浄手段が水を噴射している場合、扉体が上方へ回動したとき、扉体に横方向の枢軸で回動自在に枢支されている遮蔽板は、自重で垂下して開口部を遮蔽し、洗浄槽の外部へ水が噴射しないように遮水する。
【００１６】
本発明に係る食器洗浄機は、前記洗浄槽の側部に設けられた上下方向の案内溝と、一端が前記遮蔽板の側部に回動自在に連結し、他端が前記案内溝に沿って移動可能に係合している連結腕とを備え、前記連結腕は、前記洗浄槽の上方に前記遮蔽板が位置するような長さを有することを特徴とする。
【００１７】
本発明にあっては、開口部を閉塞した扉体の上方への回動に遮蔽板が追随する場合、遮蔽板の姿勢は、他端が案内溝に沿いながら移動する連結腕によって規制される。つまり、洗浄槽と遮蔽板との前後方向の距離は、連結腕の長さに応じて一定範囲に規制される。そして、連結腕は、洗浄槽の上方に遮蔽板が位置するような長さを有しているため、回動する扉体に追随する遮蔽板の下方には洗浄槽が位置し、遮蔽板から垂れ落ちる水滴は洗浄槽に落ちる。
【００１８】
本発明に係る食器洗浄機は、前記連結腕が、前記一端側から前記他端側にかけて下方に傾斜していることを特徴とする。
【００１９】
本発明にあっては、連結腕は、一端側から他端側にかけて下方に傾斜しているため、遮蔽板に付着した水滴の一部は、連結腕の一端から他端側に沿って流れる。連結腕の他端は洗浄槽の側部に設けられた案内溝に係合しているため、連結腕の他端側に流れた水は洗浄槽に戻る。
【００２０】
本発明に係る食器洗浄機は、前記案内溝と前記洗浄槽とが一体成形されていることを特徴とする。
【００２１】
本発明にあっては、遮蔽板の姿勢を規制するための案内溝と洗浄槽とが一体成形されているため、食器洗浄機を構成する部品点数が少ない。
【００２２】
本発明に係る食器洗浄機は、前記扉体が、前記遮蔽板を収める凹部を備えることを特徴とする。
【００２３】
本発明にあっては、遮蔽板は、扉体に形成された凹部に収められる。従って、洗浄槽は、遮蔽板を備えない食器洗浄機と同等の食器収容量を有する。
【００２４】
本発明に係る食器洗浄機は、前記凹部が、前記扉体が前記開口部を閉塞した状態で、前記凹部と前記遮蔽板とが前後方向に所定長以上離隔するように形成されていることを特徴とする。
【００２５】
本発明にあっては、凹部と遮蔽板とが前後方向に所定長以上離隔しているため、表面張力により水滴が凹部と遮蔽板との間に保持されることはない。つまり、所定長は、凹部と遮蔽板との間に水が表面張力で保持されるこを防ぐために必要な長さである。従って、開口部を閉じた扉体を上方に回動させる場合に、凹部と遮蔽板との間に保持されていた水が洗浄槽の外部に滴る虞はない。
【００２６】
本発明に係る食器洗浄機は、前記扉体が、前記遮蔽板を枢支している部分より上側に、横長の条体を備えることを特徴とする。
【００２７】
本発明にあっては、扉体が、遮蔽板を枢支している部分の上側に横長の条体を備えているため、食器から洗い落とされた残滓が扉体の条体より上側から垂れ落ちた場合、条体に引っ掛り、条体の下側で遮蔽板を枢支している扉体の部分には付着しない。
【００２８】
本発明に係る食器洗浄機は、前記遮蔽板を枢支している前記扉体の部分を前記洗浄槽から遮蔽する遮蔽体を備えることを特徴とする。
【００２９】
本発明にあっては、遮水体が、遮蔽板を枢支している扉体の部分を洗浄槽から遮蔽しているため、食器から洗い落とされた残滓は遮蔽体に付着し、遮蔽板を枢支している扉体の部分には付着しない。
【００３０】
本発明に係る食器洗浄機は、前記遮蔽板が、該遮蔽板に付着した水滴を横方向両側へ誘導する誘導部を備えることを特徴とする。
【００３１】
本発明にあっては、開口部を遮蔽する遮蔽板に付着した水滴は、誘導部により遮蔽板の横方向両側に誘導される。そして、遮蔽板の下方には洗浄槽が位置しているため、遮蔽板の両側に誘導された水滴は、開口部の横方向両側から洗浄槽に落ちる。
【００３２】
本発明に係る食器洗浄機は、前記遮蔽板の誘導部が、前記扉体が前記開口部を閉塞した状態で、前記遮蔽板の横方向両側夫々へ向けて下方に傾斜した山形のリブであることを特徴とする。
【００３３】
本発明にあっては、遮蔽板に付着して下方に伝い流れる水滴は、山形のリブを伝い、遮蔽板の横方向両側まで流れる。
【００３４】
本発明に係る食器洗浄機は、前記扉体が、該扉体に付着した水滴を横方向両側から横方向中央側へ誘導する誘導部を、前記遮蔽板を枢支している部分より上側に備えることを特徴とする。
【００３５】
本発明にあっては、開口部を閉塞する扉体に付着した水滴は、扉体の横方向両側から横方向中央側に誘導される。そして、誘導された水滴は、誘導部の下側にある遮蔽板に導かれる。従って、扉体の両側に付着した水滴が遮蔽板の両側から裏側に回りこみ、開口部を閉塞した扉体が上方に回動した場合に、扉体及び遮蔽板から洗浄槽の外部に滴る水滴の量を軽減することができる。
【００３６】
本発明に係る食器洗浄機は、前記扉体の誘導部が、前記扉体が前記開口部を閉塞した状態で、前記扉体の横方向両側から横方向中央側へ向けて下方に傾斜したリブであることを特徴とする。
【００３７】
本発明にあっては、遮蔽板に付着して下方に伝い流れる水滴は、リブを伝い、遮蔽板に流れる。
【発明の効果】
【００３８】
本発明によれば、開口部を閉塞した扉体が洗浄中に回動した場合、噴射された水を遮蔽板で遮水して、洗浄槽の外部へ水が噴射されることを防ぐことができる。
【００３９】
本発明によれば、回動する扉体に追随した遮蔽板から垂れ落ちた水滴を洗浄槽で受けることができる。
【００４０】
本発明によれば、洗浄槽の外部への水滴の滴りを軽減することができる。
【００４１】
本発明によれば、遮蔽板の姿勢を規制するための案内溝を別体で備える食器洗浄機に比べて、部品点数が少なく、低コストで製造することができる。
【００４２】
本発明によれば、扉体が備える凹部に遮蔽板を収容することで、遮蔽板を備えない食器洗浄機と同等の食器収容量を確保することができる。
【００４３】
本発明によれば、水の表面張力によって凹部と遮蔽板との間に水が保持されることを防ぎ、扉体が回動した場合に、保持されていた水が洗浄槽の外部に滴ることを防ぐことができる。
【００４４】
本発明によれば、食器から洗い落とされた残滓が、遮蔽板を枢支している扉体の部分に付着することを防ぐことができる。
【００４５】
本発明によれば、食器から洗い落とされた残滓が、遮蔽板を枢支している扉体の部分に付着することを防ぐことができる。
【００４６】
本発明によれば、遮蔽板に付着した水滴を遮蔽板の両側に誘導し、誘導した水滴を洗浄槽が有する開口部の両側から洗浄槽に落とすことができる。また、水滴を誘導する山形のリブを備えることにより、遮蔽板の誘導部を簡易に構成することができる。
【００４７】
本発明によれば、扉体の両側に付着した水滴が、遮蔽板の両側に回り込むことを防ぎ、扉体及び遮蔽板からの水滴の滴りを軽減することができる。また、水滴を誘導するリブを備えることにより、扉体の誘導部を簡易に構成することができる。
【発明を実施するための最良の形態】
【００４８】
以下、本発明をその実施の形態を示す図面に基づいて詳述する。
【００４９】
（実施の形態１）
図１は、本発明の実施の形態１に係る食器洗浄機の略示側断面図である。
【００５０】
図中１は、流し台に設置される底板部１ｂ及び底板部１ｂに略平行な天板部１ａを備えた略直方体形状の筐体であり、筐体１は、略直方体の洗浄槽１０を内部に備えている。筐体１及び洗浄槽１０は、食器Ａを出し入れするための開口部１１を正面側に有している。また、筐体１は、正面側の下部に、食器Ａの洗浄を開始及び停止させるための操作パネルを備えている。
【００５１】
洗浄槽１０は、平面視で略矩形の底面部１０ａを有しており、底面部１０ａは、筐体１の底板部１ｂに対して略平行に配置されている。底面部１０ａには、洗浄槽１０内部に収容された食器かご５に載せられている食器Ａに水を噴射する洗浄ノズル６０，６０が横方向に並設されている。洗浄ノズル６０，６０は、洗浄水を供給する洗浄ポンプ６１に連結されており、該洗浄ポンプ６１は、洗浄槽１０の下側、洗浄槽１０と筐体１との間に配置されている。底面部１０ａの周縁部分には、背面壁１０ｃ、及び両側面壁１０ｅ，１０ｅが底面部１０ａに対して略垂直に形成されており、背面壁１０ｃ及び両側面壁１０ｅ，１０ｅの上端部分には、底板部１ｂに略平行な天面部１０ｄが形成されている。両側面壁１０ｅ，１０ｅの正面縁部は、上側にて背面側に湾曲している。また、底面部１０ａの前端部には、洗浄ノズル６０，６０から噴射された水を受けて洗浄槽１０の底部分で溜めるために必要な高さを有する前面壁１０ｂが底面部１０ａに対して略垂直に形成されている。
【００５２】
食器洗浄機は、食器Ａを洗浄する際に洗浄槽１０の開口部１１（図５参照）を閉塞するために、側面壁１０ｅ、１０ｅの正面縁部に倣うように形成された扉体２を備えている。扉体２は、洗浄槽１０の上下方向に扁平、即ち横方向に薄い２本の支持腕７によって洗浄槽１０に対して上下回動可能に支持されている。側面壁１０ｅ、１０ｅの外側の上側背面寄り部分には回動軸９が横方向に突設されており、支持腕７の一端は回動軸９によって回動自在に枢支されている。支持腕７の他端は扉体２の側部の上下方向略中央部にねじ止めされている。また、支持腕７は、開口部１１を閉塞した扉体２が上方へ回動する際、天面部１０ｄに突き当たることなく、扉体２が略９０度回動できるように、閉じた状態での側断面が略Ｕ字状に形成されている。また、扉体２は、開口部１１の下部を遮蔽して洗浄ノズル６０，６０から噴射された水を遮る略長方形の遮蔽板３を、長辺を横向きにして収める凹部２０を裏側に形成している。凹部２０の前後方向の深さは、扉体２が開口部１１を閉塞した状態で、凹部２０と遮蔽板３とが前後方向に所定長離隔し、凹部２０と遮蔽板３との間に水が表面張力で保持されることを防ぐために必要な長さを有している。
【００５３】
図２は、扉体を閉じた状態での遮蔽板３の略示背面図である。遮蔽板３の長辺は、開口部１１の横幅に等しく、短辺は、開口部１１の下部を遮蔽するために必要な長さを有している。遮蔽板３の上側長辺部３ａの各頂点部分には、長手方向へ突出した枢軸３ｃ，３ｃが設けられており、枢軸３ｃ，３ｃは、遮蔽板３の上側長辺部３ａが横方向となるように、凹部２０の内側面に形成された軸穴に回動自在に支持されている。また、遮蔽板３は、下側長辺部３ｂの各頂点部分に軸穴が長手方向に形成されており、下側長辺部３ｂの軸穴夫々には、遮蔽板３と洗浄槽１０とを連結するための連結腕４，４の一端に横方向に形成された連結軸４ｂ，４ｂが回動自在に嵌合している。
【００５４】
図３は、食器洗浄機の略示上面断面図である。図１及び図３に示すように、両側面壁１０ｅ，１０ｅの内側の前方寄り部分には、Ｔ字状断面を有し、上方で背面側に湾曲した上下方向の案内溝１２，１２が形成されていて、案内溝１２，１２には、連結腕４，４の他端、横方向外向きに突設されていて、案内溝に嵌り横方向に係止されるＴ字状断面を有する摺動部４ａ，４ａが摺動可能に嵌合している。摺動部４ａ，４ａは、連結腕４，４が一端側から他端側にかけて下方に傾斜するように、案内溝１２，１２に嵌合している。また連結腕４，４は、回動する扉体２に追随する遮蔽板３の下側長辺部３ｂの下方に洗浄槽１０が位置するように遮蔽板３の姿勢を規制することができる長さを有している。
【００５５】
また、遮蔽板３は、図２に示すように、遮蔽板３に付着した水滴を横方向両側に誘導する誘導部３０を背面側に備えている。誘導部３０は、遮蔽板３の背面側中心部より上側長辺部３ａ寄り部分を頂点として、下側長辺部３ｂの各頂点部分の方向へ傾斜した山形のリブである。
【００５６】
また、扉体２は、図２に示すように扉体２の遮蔽板３を枢支している部分の上側に横方向両側から横方向略中央部に水滴を誘導する誘導部２３を備えている。誘導部２３は、左側部から横方向略中央部へ下方に傾斜したリブと、右側部から横方向略中央部へ下方に傾斜したリブとから構成されている。更に、扉体２は、横方向両側部にわたり、正面側から天面側にいたる透光部２１を有している。
【００５７】
図４は、開口部１１を閉塞した扉体２が上方へ回動した食器洗浄機の略示側断面図である。開口部１１を閉塞した扉体２が、上方へ回動した場合、遮蔽板３は、扉体２から自重で垂下し、遮蔽板３は開口部１１の下部を遮蔽する。
【００５８】
図５は、開口部１１を閉塞した扉体２が上方へ略９０度回動した食器洗浄機の略示側断面図である。開口部１１を閉塞した扉体２が、略９０度上方へ回動した場合、遮蔽板３は、扉体２に追随して洗浄槽１０の上方まで移動する。遮蔽板３が移動する場合、遮蔽板３の姿勢は、案内溝１２，１２に沿って摺動する連結腕４，４によって、遮蔽板３の下側長辺部３ｂの下方に洗浄槽１０が位置するように規制される。
【００５９】
実施の形態１にあっては、開口部１１を閉塞した扉体２が回動した場合、遮蔽板３は、自重で垂下し、洗浄槽１０の開口部１１に臨むようにして開口部１１の下部を遮蔽する。従って、洗浄ノズル６０，６０から噴射された水を遮蔽板３で遮ることができるため、洗浄槽１０の外部に水が噴射されることを防ぐことができる。
【００６０】
また、扉体２が図４及び図５に示すように上方へ回動した場合、扉体２に追随する遮蔽板３の姿勢は、連結腕４，４及び案内溝１２，１２により、遮蔽板３の下側長辺部３ｂの下方に洗浄槽１０が位置するように規制されるため、遮蔽板３に付着し、下側長辺部３ｂから垂れ落ちた水は、洗浄槽１０内に落ちる。従って、洗浄後、扉体２を上方へ回動させる場合に、遮蔽板３の下側長辺部３ｂから洗浄槽１０の外部に水が垂れ落ちることを防ぐことができる。
【００６１】
更に、扉体２は遮蔽板３を収容する凹部２０を形成しており、図１に示すように、遮蔽板３は扉体２の内側に形成された凹部２０に収容される。従って、遮蔽板３が洗浄槽１０の食器収容スペースを狭めることはなく、遮蔽板３を備えない食器洗浄機と同等の食器収容量を確保することができる。
【００６２】
更にまた、凹部２０と遮蔽板３とが前後方向に所定長離隔しているため、凹部２０と遮蔽板３との間に水が表面張力で保持されることはない。従って、開口部１１を閉塞した扉体２が上方に回動した場合に、保持されていた水が洗浄槽１０の外部に滴ることを防ぐことができる。
【００６３】
更にまた、連結腕４，４は一端側から他端側にかけて下方に傾斜しているため、誘導部３０によって遮蔽板３の両側に誘導された水滴は、連結腕４，４の一端から他端に沿って流れ、連結腕４の他端に流れた水滴は洗浄槽１０に戻る。従って、遮蔽板３に付着した水滴が洗浄槽１０の外部に滴ることを防ぐことができる。
【００６４】
更にまた、案内溝１２，１２と洗浄槽１０とは一体成形されているため、案内溝１２，１２を別体で備える食器洗浄機に比べて、部品点数及び製造工数が少なく、より低コストで食器洗浄機を製造することができる。
【００６５】
更にまた、遮蔽板３は、誘導部３０を備えているため、遮蔽板３に付着した水滴を開口部１１の両側から洗浄槽１０内へ落とすことができる。従って、洗浄後に開口部１１から食器Ａを取り出す場合、食器洗浄機の使用者は、扉体２及び遮蔽板３から垂れる水で濡れる虞はなく、快適に食器Ａを取り出すことができる。
【００６６】
更にまた、扉体２は誘導部２３を備えているため、扉体２の両側に付着した水滴を横方向略中央部に誘導して、誘導した水滴を誘導部２３の下側にある遮蔽板３に導くことができる。遮蔽板３に導かれた水滴は、上述したように遮蔽板３の両側に誘導され、連結腕４，４を伝い洗浄槽１０に戻る。従って、扉体２の両側に付着した水滴が、遮蔽板３の両側に回り込み、扉体２及び遮蔽板３の両側から洗浄槽１０の外部に滴ることを防ぐことができる。
【００６７】
（実施の形態２）
図６は、本発明の実施の形態２に係る扉体２の部分側断面図である。実施の形態２に係る扉体２は、遮蔽板３を枢支している部分より上側に、矩形の側断面を有し、遮蔽板３の横幅と同長の横長の条体２２を形成している。
【００６８】
実施の形態２に係る食器洗浄機にあっては、食器Ａから残滓が洗い落とされて扉体２に付着し、垂れ落ちた場合、残滓は遮蔽板３を枢支している扉体２の条体２２に引っ掛る。従って、食器Ａから洗い落とされた残滓が扉体２の前記部分に付着することを防ぐことができる。
【００６９】
条体２２以外の他の構成、作用及び効果は、実施の形態１に係る食器洗浄機の構成、作用及び構成と同様であるため、同様の個所には同様の符号を付してその詳細な説明を省略する。
【００７０】
（実施の形態３）
図７は、本発明の実施の形態３に係る扉体２の部分側断面図である。実施の形態３に係る扉体２は、遮蔽板３を枢支している扉体２の部分を洗浄槽１０から遮蔽する樹脂製の遮蔽体８を備えている。遮蔽体８は、側断面が楔状であり、上端から下端に至るに従って薄くなるように形成されている。扉体２は凹部２０の上側に、遮蔽板３の横幅と同長の横方向の嵌着凹部２４を形成していて、遮蔽体８は、嵌着凹部２４に嵌着している凸状部分８ａを扉体２側に備えている。
【００７１】
このように構成される食器洗浄機にあっては、遮蔽体８により、洗浄槽１０内から直接飛散した残滓が遮蔽板３を枢支している扉体２の部分に付着することを防ぐことができ、遮蔽体８を備えない食器洗浄機に比べて、より効果的に前記部分に残滓が付着することを防ぐことができる。
【００７２】
遮蔽体８以外の他の構成、作用及び効果は、実施の形態１に係る食器洗浄機の構成、作用、及び効果と同様であるため、同様な個所には同様の符号を付してその詳細な説明を省略する。
【図面の簡単な説明】
【００７３】
【図１】本発明の実施の形態１に係る食器洗浄機の略示側断面図である。
【図２】扉体を閉じた状態での遮蔽板の略示背面図である。
【図３】食器洗浄機の略示上面断面図である。
【図４】開口部を閉塞した扉体が上方へ回動した食器洗浄機の略示側断面図である。
【図５】開口部を閉塞した扉体が上方へ略９０度回動した食器洗浄機の略示側断面図である。
【図６】本発明の実施の形態２に係る扉体の部分側断面図である。
【図７】本発明の実施の形態３に係る扉体の部分側断面図である。
【符号の説明】
【００７４】
１  筐体
２  扉体
３  遮蔽板
３ａ  上側長辺部
３ｂ  下側長辺部
３ｃ，３ｃ  枢軸
４，４  連結腕
４ａ，４ａ  摺動部
４ｂ，４ｂ  連結軸
７  支持腕
９  回動軸
８  遮蔽体
１０  洗浄槽
１０ｅ，１０ｅ  側面壁
１１  開口部
１２，１２  案内溝
２０  凹部
２１  透光部
２２  条体
２３  誘導部
３０  誘導部
６０，６０  洗浄ノズル
６１  ポンプ
【図１】
2006263106.tif 000003
【図２】
2006263106.tif 000004
【図３】
2006263106.tif 000005
【図４】
2006263106.tif 000006
【図５】
2006263106.tif 000007
【図６】
2006263106.tif 000008
【図７】
2006263106.tif 000009